(57)【要約】【課題】保護部材の剥がれを抑制しつつ、髪の毛等の繊維状物が絡み難い回転ローラを有した掃除機用吸込み口体を提供する。【解決手段】吸込み口体は吸込みヘッドに取付けられた回転ローラ21を具備し、ローラ21は、円筒形のローラ体22、ローラ体より柔らかでローラ体の外周に被着された保護部材25、ローラ体の内側に圧入される挿入筒部32を有してローラ体の両端部に装着された一対の軸受け31、及び両軸受けを支持して吸込みヘッドに支持されたローラ軸38を備える。保護部材25はローラ体の両端面22aを覆う端面カバー部25aを有する。軸受け31は端面カバー部25aをローラ体の端面22aとの間に挟持する挟持フランジ33を有し、フランジ33の外周端に端面カバー部側に突出する環形の突縁33aを設ける。挟持フランジ33の突縁33a相互の離間寸法L1は保護部材25の軸方向寸法L2より短く、これら突縁33aを端面カバー部25aに食い込むように接触させたことを特徴としている。【選択図】図６
2011019705.tif 000002
【特許請求の範囲】
【請求項１】
吸込みヘッドと、この吸込みヘッドに取付けられた回転ローラとを具備し、前記回転ローラが、円筒形のローラ体と、このローラ体より柔らかで前記ローラ体の両端面を覆う端面カバー部を有して前記ローラ体の外周に被着された保護部材と、前記端面カバー部を前記ローラ体の端面との間に挟持する挟持フランジ及び前記ローラ体の内側に圧入される挿入筒部を有して、前記ローラ体の両端部に装着された一対の軸受けと、これら軸受けを支持して設けられ前記吸込みヘッドに支持されたローラ軸を備える掃除機用吸込み口体において、
前記両挟持フランジがそれらの外周端に前記端面カバー部側に突出する環形の突縁を有しており、これら挟持フランジの前記突縁相互の離間寸法が前記保護部材の軸方向寸法より短いとともに、前記突縁が前記端面カバー部に食い込むように接触されていることを特徴とする掃除機用吸込み口体。
【請求項２】
前記軸受けが周方向に連続する環形溝を前記挟持フランジとの間に形成する端部フランジを備えているとともに、前記挟持フランジの外周径が前記端面カバー部から前記環形溝に向けて漸減されていることを特徴とする請求項１に記載の掃除機用吸込み口体。
【請求項３】
前記ローラ体の端面に凹部が形成されていて、この凹部に前記端面カバー部が前記突縁で押し込まれていることを特徴とする請求項１又は２に記載の掃除機用吸込み口体。
【請求項４】
前記保護部材が弾性変形可能であることを特徴とする請求項１から３の内のいずれか一項に記載の掃除機用吸込み口体。
【請求項５】
請求項１から５の内のいずれか一項に記載の吸込み口体を具備していることを特徴とする電気掃除機。
【発明の詳細な説明】
【技術分野】
【０００１】
本発明は、掃除対象の床面に接して回転される回転ローラを備えた掃除機用吸込み口体及び電気掃除機に関する。
【背景技術】
【０００２】
吸込み口本体にその後部底面に開放する保持凹部を形成し、吸込み口体の移動を補助するための回転ローラが保持凹部に回転可能に取付けられた掃除機用吸込み口体が、従来知られている（例えば、特許文献１参照。）。
【０００３】
前記回転ローラは、円筒状のローラと、この外表面を覆う起毛布等の保護部材と、一対のスリーブ（軸受け）と、金属製の軸とを備えている。両スリーブは、保持凹部に両端が支持される軸が貫通される軸部、この軸部の端部に設けられたフランジ及び当接フランジを有しており、これら両フランジ間に環状溝が形成されている。これらスリーブの軸部はローラの穴部に圧入されており、こうしたローラへのスリーブの取付けにより、当接フランジがローラの端面と共同して保護部材の側縁部を挟持している。この場合、当接フランジは、その周部より厚い内側部位で保護部材の側縁部をローラの端面との間で挟持している。
【先行技術文献】
【特許文献】
【０００４】
【特許文献１】特開２００２−３６０４７０号公報
【発明の概要】
【発明が解決しようとする課題】
【０００５】
前記特許文献１に記載の技術は、ローラを覆った保護部材がその端部から剥がれ難い点で優れている。しかし、この技術では、当接フランジの周部の肉厚はこの周部よりも内側の部位より薄く、この当接フランジと保護部材の側縁部の内で当接フランジの周部に対向する部位との間に隙間が形成されているので、以下の不具合がある。
【０００６】
即ち、起毛布等からなる保護部材は、掃除対象の床面と接触して回転するので、床面上に落ちている髪の毛や糸屑等の繊維状物が巻付く。そのため、ローラに巻付いた繊維状物が、前記隙間に入り込んで回転ローラに強く絡み付き、除去し難い状態になることがあり、その改善が望まれている。
【０００７】
以上のように従来技術に係る掃除機用吸込み口体が備えた回転ローラは、髪の毛等の繊維状物が絡み易いという課題がある。
【課題を解決するための手段】
【０００８】
本発明は、吸込みヘッドに取付けられた回転ローラを具備し、このローラは、円筒形のローラ体、このローラ体より柔らかでローラ体の外周に被着された保護部材、ローラ体の内側に圧入される挿入筒部を有してローラ体の両端部に装着された一対の軸受け、及び両軸受けを支持して吸込みヘッドに支持されたローラ軸を備え、保護部材がローラ体の両端面を覆う端面カバー部を有し、両軸受けが端面カバー部をローラ体の端面との間に挟持する挟持フランジを有した掃除機用吸込み口体を前提とする。
【０００９】
そして、前記課題を解決するために、本発明は、挟持フランジの外周端に端面カバー部側に突出する環形の突縁を設けるとともに、両軸受けの突縁相互の離間寸法を保護部材の軸方向寸法より短くし、これら突縁を端面カバー部に食い込むように接触させたことを特徴としている。
【発明の効果】
【００１０】
本発明によれば、保護部材の剥がれを抑制しつつ、保護部材の端面カバー部と前記剥がれ抑制用の挟持フランジとの間に、髪の毛等の繊維状物が絡み難い回転ローラを有した掃除機用吸込み口体、及びこの吸込み口体を備えた電気掃除機を提供できる。
【図面の簡単な説明】
【００１１】
【図１】本発明の第１の実施の形態に係る電気掃除機を示す斜視図である。
【図２】図１の電気掃除機が備える吸込み口体を示す側面図である。
【図３】図２の吸込み口体を示す裏面図である。
【図４】図２の吸込み口体の一部を示す後面図である。
【図５】図４中Ｆ５部を示す拡大図である。
【図６】図２の吸込み口体が備える回転ローラを示す断面図である。
【図７】図５中Ｆ７部を示す拡大図である。
【図８】図６中Ｆ８方向から見て示した回転ローラの側面図である。
【図９】本発明の第２の実施の形態に係る吸込み口体が備える回転ローラを示す断面図である。
【図１０】本発明の第３の実施の形態に係る吸込み口体が備える回転ローラを示す断面図である。
【発明を実施するための形態】
【００１２】
以下、図１〜図８を参照して本発明の第１の実施の形態について、詳細に説明する。
【００１３】
図１中符号１は電気掃除機を示している。電気掃除機１は、電動送風機２及び集塵部例えば集塵フィルター３が内蔵された掃除機本体４と、集塵部に含塵気流を導入する吸塵風路体５とを具備している。
【００１４】
吸塵風路体５は、吸込み口体６と、吸塵ホース９と、延長管１０を備えている。吸塵ホース９は、蛇腹状のホース部の一端に接続部７を有し、他端に手元操作管８を有している。接続部７は掃除機本体４に接続されている。手元操作管８は、ハンドル部８ａを有し、このハンドル部８ａに手元スイッチを有した操作パネル８ｂが取付けられている。延長管１０は例えば前後一対の管部材１０ａ，１０ｂを有し，これらの管部材１０ａ，１０ｂは伸縮可能に嵌合されている。後側の管部材１０ｂは手元操作管８に着脱可能に接続される。前側の管部材１０ａは吸込み口体６への着脱が可能である。
【００１５】
図１〜図３に示すように吸込み口体６は、吸込みヘッド１１と、これに自在継手部を介して連結された接続管１２を備えている。接続管１２は、延長管１０の前端部、つまり、前側の管部材１０ａの前端部、又は手元操作管８の前端部への着脱が可能である。図３に示すように吸込みヘッド１１には、その下面（掃除の際に掃除対象である床面に対向する面）に吸込み開口１３が開放されているとともに、回転清掃体１４が内蔵されている。回転清掃体１４の下端部は吸込み開口１３に露出されている。なお、図２及び図３中符号１５は、吸込みヘッド１１に装着された起毛布等からなる床面拭き部材を示し、符号１６はバンパーを示している。
【００１６】
図２〜図４に示すように吸込みヘッド１１はその後方に突出する突出部１１ａを有し、この突出部１１ａに保持凹部１７（図３参照）が形成されている。保持凹部１７はその上方、下方、及び後方に夫々開放されている。掃除対象の床面上の吸込みヘッド１１の移動を補助するための回転ローラ２１が、保持凹部１７に収納されて吸込みヘッド１１に取付けられている。
【００１７】
次に、回転ローラ２１を図６〜図８等を参照して説明する。この回転ローラ２１は、ローラ体２２と、保護部材２５と、一対の軸受け３１と、ローラ軸３８を備えている。
【００１８】
ローラ体２２は硬質材料例えば硬質合成樹脂具体的にはポリプロピレンにより円筒形に形成されている。図６中符号２２ａはローラ体２２の端面を夫々示し、符号２２ｂはローラ体２２を軸方向に貫通する孔を示している。
【００１９】
保護部材２５は、ローラ体２２より柔らかな材料、例えば、不織布、起毛布、布、ゴム、又はこれらの複合材等からなり、具体的には起毛布製である。この保護部材２５は、ローラ体２２の外周に巻き付けて被着されている。これとともに、保護部材２５の両端部は、ローラ体２２の端面２２ａを覆う端面カバー部２５ａをなしている。保護部材２５は、掃除対象の床面と硬質なローラ体２２との直接接触をなくして、これらが傷付かないように保護するために用いられている。
【００２０】
両軸受け３１は、回転ローラ２１より柔らかであるが保護部材２５より硬い材料例えば硬質ゴムの一体成型品であり、挿入筒部３２と、挟持フランジ３３と、端部フランジ３４を有している。挿入筒部３２の軸方向両端は開放されている。挟持フランジ３３は挿入筒部３２の軸方向中間部外周に一体に設けられている。端部フランジ３４は挟持フランジ３３に対して間隔を空けて挿入筒部３２の一端部外周に一体に設けられている。これら挟持フランジ３３と端部フランジ３４との間に環形溝３５が形成され、この環形溝３５は軸受け３１の周方向に一回り連続している。
【００２１】
図８に示すように挟持フランジ３３と端部フランジ３４を軸受け３１の軸方向から見た形状は円形であり、それらの直径は保護部材２５の直径より小さい。これとともに、以下の説明に限られることはないが、挟持フランジ３３の直径は、端部フランジ３４の直径より大きいとともに、図６に示すようにローラ体２２の直径に対しても大きい。挟持フランジ３３はその外周端に端部フランジ３４とは反対側に突出する突縁３３ａ（図６参照）を有している。この突縁３３ａは端部フランジ３４の周方向に一回り連続して円環状に形成されている。しかも、突縁３３ａは先細り状をなしている。
【００２２】
一対の軸受け３１は、その挿入筒部３２の内で、挟持フランジ３３を境に端部フランジ３４とは反対側に突出された筒部位を、ローラ体２２の孔２２ｂに圧入することで、ローラ体２２の両端部に夫々取付けられている。この取付けによって、端面カバー部２５ａがこれに接した挟持フランジ３３とローラ体２２の端面２２ａとの間に挟持されているとともに、挟持フランジ３３の突縁３３ａが端面カバー部２５ａにその外面から食い込むように接触されている。こうした接触の好ましい態様として本実施形態では突縁３３ａが端面カバー部２５ａに食い込んでいる。
【００２３】
この場合、端面カバー部２５ａの外周側部位、詳しくは、ローラ体２２の外周面と保護部材２５の外周面との間で、かつ、ローラ体２２の端面２２ａから外れた端面カバー部２５ａの外周側部位に対して、突縁３３ａが食い込んでいる。この食い込みによって、挟持フランジ３３と端面カバー部２５ａの合い面３６（図６参照）は、回転ローラ２１の周面に露出しないように突縁３３ａで覆い隠されている。
【００２４】
したがって、図６に示すようにローラ体２２の両端部に夫々装着された軸受け３１の突縁３３ａ相互の離間寸法Ｌ１は、保護部材２５の軸方向寸法Ｌ２、正確には左右の端面カバー部２５ａの外面間寸法より短い。
【００２５】
更に、挟持フランジ３３の外周径は、端面カバー部２５ａから環形溝３５に向けて漸減している。これとともに、既述の食い込み位置によって、図７に示すように挟持フランジ３３の外周端面３３ｂは、保護部材２５の外周面と端面カバー部２５ａの外側面とがなす角部の曲面２２ｃに対して、大きく隔たることなく略連続している。
【００２６】
ローラ軸３８は、金属製であり、一対の軸受け３１を貫通していて、これら軸受け３１を介してローラ体２２を回転可能に支持している。ローラ軸３８の一端部は一方の軸受け３１より外部に突出されており、ローラ軸３８の他端部は他方の軸受け３１より外部に突出されている。図５に示すようにローラ軸３８の一端部を保持凹部１７の相対向する凹部形成用の壁部１７ａ，１７ｂの内の一方の壁部１７ａに形成された軸支え部１８に支持するとともに、ローラ軸３８の他端部を他方の壁部１７ｂに形成された軸支え部１９に支持することによって、回転ローラ２１が吸込みヘッド１１に取付けられている。このローラ軸３８は、その一端部に形成された一対の平面部３８ａ（図６及び図８参照）を軸支え部１９の係合面（図示しない）に係合させて位置決めされている。なお、図５中符号１９ａは軸支え部１９の一部をなす抜け止め用の突起を示しており、これは軸支え部１９からローラ軸３８が不用意に外れることを防止するために設けられている。
【００２７】
前記構成の回転ローラ２１は、その保護部材２５の両端部からなる端面カバー部２５ａ全体が、ローラ体２２の端面２２ａと軸受け３１の挟持フランジ３３とで挟持されているので、長期にわたる使用に拘らず端面カバー部２５ａを起点として保護部材２５が剥がれることを防止できる。しかも、保護部材２５にこれを引き剥がす外力が作用した場合に、ローラ体２２の端面２２ａと挟持フランジ３３との間から端面カバー部２５ａが引出されることを、端面カバー部２５ａに食い込んでいる挟持フランジ３３の突縁３３ａで防止できるので、保護部材２５が剥がれることをより確実に防止できる。
【００２８】
掃除の際、吸込み口体６が前後に移動されるに伴い、回転ローラ２１の保護部材２５が掃除対象の床面に接触するので、ローラ体２２と、保護部材２５と、一対の軸受け３１は、一体となってローラ軸３８を中心に回転され、それにより、吸込み口体６の移動が補助される。こうした回転ローラ２１の回転に伴い、その保護部材２５には髪の毛などの繊維状物が絡むことがある。
【００２９】
この場合、回転ローラ２１は、既述のように前記離間寸法Ｌ１と軸方向寸法Ｌ２との関係により、保護部材２５の端面カバー部２５ａと挟持フランジ３３の間に隙間がないだけではなく、これら端面カバー部２５ａと挟持フランジ３３の合い面３６が突縁３３ａで覆われている。そのため、保護部材２５の外周に絡んだ髪の毛等が前記合い面３６に入り込んで回転ローラ２１に強く絡まないようにできる。
【００３０】
更に、保護部材２５の端部側に巻き付いた髪の毛等が、回転ローラ２１の回転に伴い保護部材２５の端部から環形溝３５側に動かされることがある。この場合、保護部材２５の端部の角部曲面２５ｂから環形溝３５側に外れた髪の毛等は、挟持フランジ３３の外周端面３３ｂをガイドとしてこの外周端面３３ｂの傾きに従い環形溝３５に円滑に移動されて、この環形溝３５に収納される。しかも、本実施形態では、外周端面３３ｂが保護部材２５の角部曲面２５ｂに略連続しているので、より一層円滑に環形溝３５に向けて髪の毛等をガイドできる。又、こうして環形溝３５に巻き付けられた髪の毛等は、この環形溝３５に留まり易いので、回転ローラ２１に巻き付いた髪の毛等を外す処理がし易い。
【００３１】
図９に示す本発明の第２の実施の形態を説明する。この第２実施形態は、以下説明する事項以外は第１実施形態と同じであるので、第１実施形態と同様な構成については第１実施形態と同じ符号を付して、その説明を省略する。
【００３２】
第２実施形態では、回転ローラ２１が備えたローラ体２２の端面２２ａに、環状の凹部２２ｄが形成されている。この凹部２２ｄは回転ローラ２１の組立て前の状態ではローラ体２２の孔２２ｂに連通されていない。回転ローラ２１の半径方向に沿う凹部２２ｄの断面は略半円状である。一対の軸受け３１の挟持フランジ３３は、ローラ体２２の外径及び端部フランジ３４の直径より小径である。この挟持フランジ３３の外周端に形成された突縁３３ａは、凹部２２ｄに対応して形成されていて、この突縁３３ａの回転ローラ２１の半径方向に沿う断面は略半円状である。保護部材２５の端面カバー部２５ａの略全体は、ローラ体２２の端面２２ａ及び挟持フランジ３３の形状に対応して曲げられた状態で、端面２２ａと挟持フランジ３３とで挟持されている。
【００３３】
したがって、ローラ体２２の両端部に夫々装着された軸受け３１の突縁３３ａにより、端面カバー部２５ａが凹部２２ｄに押し込まれた状態で、突縁３３ａが端面カバー部２５ａに食い込む様に接触されているとともに、これら突縁３３ａ相互の離間寸法Ｌ１は、保護部材２５の軸方向寸法Ｌ２より短い。なお、挟持フランジ３３の傾斜された外周端面３３ｂは、保護部材２５の外周面と端面カバー部２５ａの外側面とがなす角部の曲面２２ｃに対して、ローラ軸３８側に比較的大きく隔たっている。
【００３４】
以上説明した以外の構成は、図９に示されない構成を含めて第１実施形態と同じである。したがって、この第２実施形態は、第１実施形態で既に説明した理由によって、本発明の課題を解決できる。しかも、第２実施形態で、端面カバー部２５ａが、ローラ体２２の端面２２ａ及び挟持フランジ３３の形状に対応して曲げられた状態で、端面２２ａと挟持フランジ３３の突縁３３ａとで挟持されているので、ローラ体２２の端面２２ａと挟持フランジ３３間から端面カバー部２５ａが、より一層引出され難くなるに伴い、保護部材２５が剥がれることをより確実に防止できる利点がある。
【００３５】
図１０に示す本発明の第３の実施の形態を説明する。この第３実施形態は、以下説明する事項以外は第１実施形態と同じであるので、第１実施形態と同様な構成については第１実施形態と同じ符号を付して、その説明を省略する。
【００３６】
第３実施形態では、回転ローラ２１が備えたローラ体２２の端面２２ａに凹部２２ｅが形成されている。回転ローラ２１の組立て前の状態で、凹部２２ｅはローラ体２２の孔２２ｂに連通されている。一対の軸受け３１の挟持フランジ３３は、ローラ体２２の外径及び端部フランジ３４の直径より小径である。この挟持フランジ３３の外周端に形成された突縁３３ａは、凹部２２ｅに対応して形成されていて、この突縁３３ａの回転方向の半径方向に沿う断面は略半円状である。保護部材２５の端面カバー部２５ａの中間部はローラ体２２の端面２２ａ及び挟持フランジ３３の突縁３３ａで挟持されている。この挟持された端面カバー部２５ａの中間部を符号２５ｃで示す。端面２２ａと挟持フランジ３３は、前記中間部２５ｃを基準にそれより径が小さい端面カバー部２５ａの内周側部位については挟持していない。
【００３７】
したがって、ローラ体２２の両端部に夫々装着された軸受け３１の突縁３３ａは、端面カバー部２５ａに食い込む様に接触されていて、これら突縁３３ａ相互の離間寸法Ｌ１は、保護部材２５の軸方向寸法Ｌ２より短い。なお、挟持フランジ３３の傾斜された外周端面３３ｂは、保護部材２５の外周面と端面カバー部２５ａの外側面とがなす角部の曲面２２ｃに対して、ローラ軸３８側に比較的大きく隔たっている。
【００３８】
更に、第３実施形態では、保護部材２５を起毛布で形成することに代えて、エラストマやゴム等のような弾性変形が可能な材料で保護部材２５が形成されている。この構成は、保護部材２５の弾性変形で、吸込み口体を床面に置く場合等の衝撃をより一層緩衝できるとともに、衝撃音をより一層低減できる点で好ましい。
【００３９】
以上説明した以外の構成は、図１０に示されない構成を含めて第１実施形態と同じである。したがって、この第３実施形態は、第１実施形態で既に説明した理由によって、本発明の課題を解決できる。
【００４０】
なお、回転ローラ２１は吸込み口体６に複数設けることが可能であるとともに、掃除機本体４の移動を保持するために、この掃除機本体４に取付けることも可能である。
【符号の説明】
【００４１】
１…電気掃除機、６…吸込み口体、１１…吸込みヘッド、２１…回転ローラ、２２…ローラ体、２２ａ…ローラ体の端面、２２ｃ，２２ｄ…端面の凹部、２５…保護部材、２５ａ…端面カバー部、３１…軸受け、３２…挿入筒部、３３…挟持フランジ、３３ａ…挟持フランジの突縁、３４…端部フランジ、３５…環形溝、３８…ローラ軸、Ｌ１…突縁相互の離間寸法、Ｌ２…保護部材の軸方向寸法
【図１】
2011019705.tif 000003
【図２】
2011019705.tif 000004
【図３】
2011019705.tif 000005
【図４】
2011019705.tif 000006
【図５】
2011019705.tif 000007
【図６】
2011019705.tif 000008
【図７】
2011019705.tif 000009
【図８】
2011019705.tif 000010
【図９】
2011019705.tif 000011
【図１０】
2011019705.tif 000012